(57)【要約】【課題】遊技用表示パネル２を最大で遊技領域１ａ一杯にまで拡張可能にしたパチンコ機Ｐの遊技板１を提供する。【解決手段】障害釘５の打込みが可能な性質と厚みを有する透明樹脂層１３（非晶性ポリエステル樹脂）を表側に形成し、また、裏側に発泡樹脂層１２（硬質塩化ビニル低発泡樹脂）を形成して周縁部のトータル厚みを通常の遊技板とほぼ同程度に設定し、さらに、発泡樹脂層１２の周縁部を除いた一部分に透明樹脂層１３に達する窓穴１２ａを形成すると共に該窓穴１２ａに液晶などの遊技用表示パネル２を設置してなる。この遊技板１は、遊技用表示パネル２の前面に障害釘５などを打込んで球流路Ｒを形成することができるため、遊技用表示パネル２を遊技領域１ａ一杯にまで拡張することができ、また、表示サイズを大きくしない場合でも球流路Ｒに従来にない変化を持たせることが可能になる。【選択図】        図１
2006068563.tif 000002
【特許請求の範囲】
【請求項１】
障害釘の打ち込みが可能な性質と厚みを有する透明樹脂層を表側に形成し、また、裏側に発泡樹脂層を形成して少なくとも周縁部のトータル厚みを通常の遊技板とほぼ同程度に設定し、さらに前記発泡樹脂層の周縁部を除いた一部分に透明樹脂層に達する窓穴を形成すると共に該窓穴に液晶などの遊技用表示パネルを設置してなることを特徴とするパチンコ機の遊技板。
【発明の詳細な説明】
【技術分野】
【０００１】
本発明は、パチンコ機に装着される遊技板に関する。
【背景技術】
【０００２】
遊技板１には通常、図６に示したように、液晶やＬＥＤなどで構成される遊技用表示パネル２を内蔵した変動表示装置３や、複数の入賞装置４，４…が取着され、また、障害釘５，５…や風車６，６…などが適宜打ち込まれている。該遊技板１は、前枠７の裏側に設けた遊技板取付枠に着脱自在に取り付けられていて、複数台のパチンコ機Ｐ，Ｐ…間で定期的に入れ替えたり、或いは、新しいものと交換される。
【発明の開示】
【発明が解決しようとする課題】
【０００３】
上記変動表示装置３は、前面（表示面）にパチンコ球の流路が作れないため、上部に庇状の凸部３ａを突設してパチンコ球を左右に振り分ける構造になっている。従って、遊技領域１ａには変動表示装置３の両サイドにパチンコ球の流路Ｒを確保する必要があり、それが変動表示装置３の表示サイズを大型化するための障害になっていた。
【０００４】
本発明は上記に鑑みなされたもので、その目的は、遊技用表示パネルを最大で遊技領域一杯にまで拡張可能にした遊技板を提供することにある。
【課題を解決するための手段】
【０００５】
上記の目的を達成するため本発明は、障害釘の打ち込みが可能な性質と厚みを有する透明樹脂層を表側に形成し、また、裏側に発泡樹脂層を形成して少なくとも周縁部のトータル厚みを通常の遊技板とほぼ同程度に設定し、さらに前記発泡樹脂層の周縁部を除いた一部分に透明樹脂層に達する窓穴を形成すると共に該窓穴に液晶などの遊技用表示パネルを設置してなるパチンコ機の遊技板を提供する。
【０００６】
［作用］
表側の透明樹脂層にはどこにでも自由に障害釘を打ち込むことができる。そして、遊技用表示パネルも透明樹脂層で覆われているため、遊技用表示パネルの前面にパチンコ球の流路を形成することができ、従って、遊技用表示パネルを遊技領域一杯にまで拡張することができる。また、遊技板は少なくとも周縁部のトータル厚みが通常の遊技板とほぼ同程度に設定されているため、既設のパチンコ機にもそのまま装着可能である。
【発明の効果】
【０００７】
本発明は、遊技用表示パネルの前面に障害釘や風車を打ち込んでパチンコ球の流路を形成することができるため、遊技用表示パネルを遊技領域一杯にまで拡張することができる。また、表示サイズを大きくしない場合でもパチンコ球の流路に従来にない変化を持たせることが可能になる。そしてさらに、遊技板は少なくとも周縁部のトータル厚みが通常の遊技板とほぼ同程度に設定されているため、既存のパチンコ機にもそのまま装着することが可能である、などの効果がある。
【発明を実施するための最良の形態】
【０００８】
以下に本発明の実施例を図面を参照しつつ説明する。なお、図１はパチンコ機の横断平面図、図２は遊技板を裏側から見た斜視図、図３はパチンコ機の正面図である。
【０００９】
パチンコ機Ｐは、四角く枠組みした外枠８と、その外枠８前面に回動自在に蝶着した前枠７とで概略構成されており、前記前枠７に遊技板１と機構板２０及びその他殆どの部品が取り付けられている。前記前枠７は、四角い窓穴９を有する額縁形状であって、図１に示したように、窓穴９の周縁を囲うように遊技板取付枠１０が裏側に設けられており、該遊技板取付枠１０に設けた公知の回転型クランプ１１で遊技板１の周縁を締め付けて固定する。
【００１０】
一方、遊技板１は合成樹脂製であって、図２に示すように、裏側が硬質塩化ビニル低発泡樹脂からなる発泡樹脂層１２で、表側が透明な非晶性ポリエステル樹脂からなる透明樹脂層１３であり、両層１２，１３のトータル厚みを通常の遊技板とほぼ同程度に設定してある。透明樹脂層１３を構成する非晶性ポリエステル樹脂は障害釘５，５…や風車６，６…などを打ち込んでも割れない特質があり、従来のベニヤ板に似た性質を有する。また、透明樹脂層１３の厚みは障害釘５，５…の打ち込み深さより若干大きく設定してある。従って、釘打ち箇所をポンチで刻印して障害釘５，５…や風車６，６…を打ち込むなど、従来通りの方法で遊技板１を作ることができ、且つ、日常の釘調整も可能である。
【００１１】
発泡樹脂層１２を構成する低発泡樹脂は、金型成形が可能で加工性がよく、しかも前記透明樹脂層１３と同様にベニヤ板に似た性質を有する。従って、遊技板１の裏面に、例えば、配線用の溝１４（図２参照）や他の部品（入賞球集合カバー２１など）の取付台、或いは入賞球の案内樋などを一体成形する、といった複雑な加工が可能であり、また、木ネジや釘などを自由にねじ込み又は打ち込むことができる。この発泡樹脂層１２には、後述する遊技領域１ａをほぼ横断する横長長方形状の窓穴１２ａが形成されており、該窓穴１２ａに液晶の遊技用表示パネル２が嵌合している。窓穴１２ａは発泡樹脂層１２を貫通して透明樹脂層１３にまで達するものであり、遊技用表示パネル２が遊技板１の正面から透けて見える。また、遊技用表示パネル２は、遊技用制御装置（図示せず）に接続されている駆動部（図示せず）に前記配線用の溝１４に通したリード線で接続されていて遊技内容に関連する数字や図柄を可視表示する。表示色は一色でも多色でもよい。
【００１２】
なお、遊技板１の裏面には前記入賞球集合カバー２１が被せられていて入賞球の通路２２が設けられているから、遊技用表示パネル２が遊技板１の裏面に出っ張ると通路２２の障害となる。従って、遊技用表示パネル２はバックライトが不要な反射型か或いはエッジライト方式の液晶にする方が薄型化できて都合がよい。しかし、バックライトのない液晶などではカラー表示が難しいなど機能上の制約が多いため、バックライト付きの液晶を採用したい場合がある。そのような場合には、図２のように遊技用表示パネル２の後面上縁にテーパ部２ａを設けて入賞球が遊技用表示パネル２を乗り越えて流れるようにしておけばよい。もちろん入賞球集合カバー２１も遊技用表示パネル２に合わせた形状にして入賞球の通路２２を確保する必要がある。もっとも、遊技用表示パネル２の表示サイズが従来の変動表示装置３と同程度の小さなものであるなら入賞球集合カバー２１の両サイドに入賞球の通路２２が確保できるだけのスペースが十分あるため出っ張りの大きさを問題にすることはない。
【００１３】
而して、遊技板１の正面には従来の遊技板と同様にガイドレール１５でほぼ円形の遊技領域１ａが形成されていて、該遊技領域１ａ内に入賞装置４や多数の障害釘５，５…或いは風車６，６…などが取り付けられている。入賞装置４の取付位置にはパチンコ球を導くための通孔１６が透明樹脂層１３と発泡樹脂層１２を貫くように形成されている。該通孔１６は透明樹脂層１３と発泡樹脂層１２を結合させた状態で穿設するか、或いは、両者を結合する前に夫々に加工して後に合致させるようにしてもよい。後者の場合、発泡樹脂層１２は、金型成型時に通孔１６を加工することができる。なお、遊技板１のアウト球口１７や賞球排出口１８も同様である。
【００１４】
図３に示したパチンコ機Ｐは、遊技用表示パネル２の前面にある透明樹脂層１３に障害釘５，５…と風車６，６…が打ち込んであり、遊技用表示パネル２の前面が全てパチンコ球の流路Ｒになっている。なお、図３では全ての入賞装置４を遊技用表示パネル２の外周囲に設けてあるが、後述する図４のように遊技用表示パネル２に前記通孔１６を設けてそこに入賞装置４を設置することもできる。そしてそのようにすれば遊技用表示パネル２で遊技領域１ａの全てをカバーすることができ、壮大なスケールで遊技が可能になる。例えば、馬のキャラクターを使って競争させる競馬ゲームのような場合、遊技領域１ａのガイドレール１５沿いに馬のキャラクターを移動させれば、従来の遊技より遥かに迫力が増す。また、複数の数字や図形を組み合わせるスロットマシーンタイプのゲームでも遊技領域１ａの全面を使用すれば表示が大きくなって見易くしかも迫力が出る。
【００１５】
以上、本発明を実施例について説明したが、もちろん本発明は上記実施例に限定されるものではない。例えば、実施例では遊技用表示パネル２として液晶を例示したが、それ以外にもＬＥＤ、通常のブラウン管、プラズマディスプレイなど、数字や図柄を平面上で視覚的に変化させる機能があればどのようなものでもよい。
また、実施例は透明樹脂層１３と発泡樹脂層１２を同形状にして両者を接合するようにしたが、例えば図４に示したように発泡樹脂層１２を遊技板１の厚みに形成し、該発泡樹脂層１２の前面に凹部１９を設けてそこに透明樹脂層１３を嵌め込むようにしてもよい。
【００１６】
ところで、本発明と同じ目的を達成するための技術的手段として変動表示装置３００自体を図５のようにしてもよい。すなわち、障害釘５の打ち込みが可能な性質と厚みを有する透明樹脂板１３０で表示用窓部３０１を覆うようにしてなることを特徴とするパチンコ機の変動表示装置、とする。前記透明樹脂板１３０は上記の透明樹脂層１３と同じ材質の合成樹脂である。また、表示用窓部３０１とは、変動表示装置３００の遊技用表示パネル２００の前面に対応する空間である。その他図５中、符号３０２は変動表示装置３００の取付基板、３０３は該取付基板３０２の裏側に突設した裏カバーである。
【００１７】
而して、上記のように変動表示装置３００の表示用窓部３０１を前記透明樹脂板１３０で覆うようにすれば、該表示用窓部３０１に障害釘５，５…を打ち込んだり風車６，６…を設けることができるため、本発明と同様に数字や図柄の表示サイズを大型化することができ、また、表示サイズを大型化しない場合でもパチンコ球の流路に従来にない変化を持たせることが可能になる効果がある。そしてさらに、この変動表示装置３００はベニヤ製の遊技板１００にも適用できる有用性がある。
【図面の簡単な説明】
【００１８】
【図１】パチンコ機の横断平面図である。
【図２】遊技板を裏側から見た斜視図である。
【図３】パチンコ機の正面図である。
【図４】他の実施例を示す遊技板の斜視図である。
【図５】変動表示装置を示す要部の横断平面図である。
【図６】従来技術を示すパチンコ機の正面図である。
【符号の説明】
【００１９】
１    …遊技板
２    …遊技用表示パネル
５，５…障害釘
１２  …発泡樹脂層
１２ａ…窓穴
１３  …透明樹脂層
Ｐ    …パチンコ機
【図１】
2006068563.tif 000003
【図２】
2006068563.tif 000004
【図３】
2006068563.tif 000005
【図４】
2006068563.tif 000006
【図５】
2006068563.tif 000007
【図６】
2006068563.tif 000008
【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
枠体として形成された外枠と、
該外枠に回動可能に取り付けられた前枠と、
該前枠に取り付けられた遊技板ユニットとを備え、
その遊技板ユニットは正面側にガイドレールで形成されパチンコ球が流下可能な遊技領域を有し、
前記遊技領域に複数の入賞口とパチンコ球の流下方向を変化させる複数の障害釘を設けたパチンコ機において、
前記遊技板ユニットは、
前記遊技領域の略全域を非晶性樹脂により形成された透明樹脂により構成すると共に、
遊技板ユニットの後方を視認不能とする非透明領域を形成する非透明樹脂を前記透明樹脂の裏面に備え、該非透明樹脂に配線用溝、入賞球集合カバーの取付台、或いは入賞球の案内樋を一体的に成形し、
該遊技板ユニットの裏面側に遊技に用いる数字や図柄を可変表示する遊技用表示パネルを設置して前記透明樹脂を介し図柄等を視認可能に構成した視認可透明領域の表面に複数の障害釘を透明樹脂の裏側に障害釘が突出しないよう設け、
前記入賞口に入るパチンコ球が遊技板ユニットの非透明領域の裏側を流れるようにしたことを特徴とするパチンコ機。
【請求項２】
枠体として形成された外枠と、
該外枠に回動可能に取り付けられた前枠と、
該前枠に取り付けられた遊技板ユニットとを備え、
その遊技板ユニットは正面側にガイドレールで形成されパチンコ球が流下可能な遊技領域を有し、
前記遊技領域に複数の入賞口とパチンコ球の流下方向を変化させる複数の障害釘を設けたパチンコ機において、
前記遊技板ユニットは、
前記遊技領域の略全域を非晶性樹脂により形成された透明樹脂により構成すると共に、
遊技板ユニットの後方を視認不能とする非透明領域を形成する非透明樹脂を、前記透明樹脂の裏面に該透明樹脂の外形形状と略同形状であり且つ内側に遊技板ユニットの後方が視認可能な窓穴を有する構成として備え、該非透明樹脂に配線用溝、入賞球集合カバーの取付台、或いは入賞球の案内樋を一体的に成形し、
該遊技板ユニットの裏面側に遊技に用いる数字や図柄を可変表示する遊技用表示パネルを設置して前記透明樹脂を介し図柄等を視認可能に構成した視認可窓穴部透明領域の表面に複数の障害釘を透明樹脂の裏側に障害釘が突出しないよう設け、
前記入賞口に入るパチンコ球が遊技板ユニットの非透明領域の裏側を流れるようにしたことを特徴とするパチンコ機。
【手続補正２】
【補正対象書類名】明細書
【補正対象項目名】全文
【補正方法】変更
【補正の内容】
【発明の詳細な説明】
【技術分野】
【０００１】
本発明は、パチンコ機に装着される遊技板ユニットに関する。
【背景技術】
【０００２】
遊技板１には通常、図６に示したように、液晶やＬＥＤなどで構成される遊技用表示パネル２を内蔵した変動表示装置３や、複数の入賞口４，４…が取着され、また、障害釘５，５…や風車６，６…などが適宜打ち込まれている。該遊技板１は、前枠７の裏側に設けた遊技板取付枠に着脱自在に取り付けられていて、複数台のパチンコ機Ｐ，Ｐ…間で定期的に入れ替えたり、或いは、新しいものと交換される。
【発明の開示】
【発明が解決しようとする課題】
【０００３】
上記変動表示装置３は、前面（表示面）にパチンコ球の流路が作れないため、上部に庇状の凸部３ａを突設してパチンコ球を左右に振り分ける構造になっている。従って、遊技領域１ａには変動表示装置３の両サイドにパチンコ球の流路Ｒを確保する必要があり、それが変動表示装置３の表示サイズを大型化するための障害になっていた。
【０００４】
本発明は上記に鑑みなされたもので、その目的は、遊技用表示パネルを最大で遊技領域一杯にまで拡張可能にしたパチンコ機を提供することにある。
【課題を解決するための手段】
【０００５】
上記の目的を達成するため本発明は、枠体として形成された外枠と、該外枠に回動可能に取り付けられた前枠と、該前枠に取り付けられた遊技板ユニットとを備え、その遊技板ユニットは正面側にガイドレールで形成されパチンコ球が流下可能な遊技領域を有し、前記遊技領域に複数の入賞口とパチンコ球の流下方向を変化させる複数の障害釘を設けたパチンコ機において、前記遊技板ユニットは、前記遊技領域の略全域を非晶性樹脂により形成された透明樹脂により構成すると共に、遊技板ユニットの後方を視認不能とする非透明領域を形成する非透明樹脂を前記透明樹脂の裏面に備え、該非透明樹脂に配線用溝、入賞球集合カバーの取付台、或いは入賞球の案内樋を一体的に成形し、該遊技板ユニットの裏面側に遊技に用いる数字や図柄を可変表示する遊技用表示パネルを設置して前記透明樹脂を介し図柄等を視認可能に構成した視認可透明領域の表面に複数の障害釘を透明樹脂の裏側に障害釘が突出しないよう設け、前記入賞口に入るパチンコ球が遊技板ユニットの非透明領域の裏側を流れるようにしたパチンコ機を提供する。
【発明の効果】
【０００６】
透明領域の表面に複数の障害釘を打ち込むことにより遊技用表示パネルの前面にパチンコ球の流路が確保できる。従って、遊技用表示パネルの大型化が可能である。
【発明を実施するための最良の形態】
【０００７】
以下に本発明の実施例を図面を参照しつつ説明する。なお、図１はパチンコ機の横断平面図、図２は遊技板ユニットを裏側から見た斜視図、図３はパチンコ機の正面図である。
【０００８】
パチンコ機Ｐは、四角く枠組みした外枠８と、その外枠８前面に回動自在に蝶着した前枠７とで概略構成されており、前記前枠７に遊技板ユニット１と機構板２０及びその他殆どの部品が取り付けられている。前記前枠７は、四角い窓穴９を有する額縁形状であって、図１に示したように、窓穴９の周縁を囲うように遊技板取付枠１０が裏側に設けられており、該遊技板取付枠１０に設けた公知の回転型クランプ１１で遊技板ユニット１の周縁を締め付けて固定する。
【０００９】
一方、遊技板ユニット１は合成樹脂製であって、図２に示すように、裏側が硬質塩化ビニル低発泡樹脂からなる発泡樹脂層１２で、表側が透明な非晶性ポリエステル樹脂からなる透明樹脂層１３であり、両層１２，１３のトータル厚みを通常の遊技板とほぼ同程度に設定してある。透明樹脂層１３を構成する非晶性ポリエステル樹脂は障害釘５，５…や風車６，６…などを打ち込んでも割れない特質があり、従来のベニヤ板に似た性質を有する。また、透明樹脂層１３の厚みは障害釘５，５…の打ち込み深さより若干大きく設定してある。従って、釘打ち箇所をポンチで刻印して障害釘５，５…や風車６，６…を打ち込むなど、従来通りの方法で遊技板ユニット１を作ることができ、且つ、日常の釘調整も可能である。
【００１０】
発泡樹脂層１２を構成する低発泡樹脂は、金型成形が可能で加工性がよく、しかも前記透明樹脂層１３と同様にベニヤ板に似た性質を有する。従って、遊技板ユニット１の裏面に、例えば、配線用の溝１４（図２参照）や他の部品（入賞球集合カバー２１など）の取付台、或いは入賞球の案内樋などを一体成形する、といった複雑な加工が可能であり、また、木ネジや釘などを自由にねじ込み又は打ち込むことができる。この発泡樹脂層１２には、後述する遊技領域１ａをほぼ横断する横長長方形状の窓穴１２ａが形成されており、該窓穴１２ａに液晶の遊技用表示パネル２が嵌合している。窓穴１２ａは発泡樹脂層１２を貫通して透明樹脂層１３にまで達するものであり、遊技用表示パネル２が遊技板ユニット１の正面から透けて見える。また、遊技用表示パネル２は、遊技用制御装置（図示せず）に接続されている駆動部（図示せず）に前記配線用の溝１４に通したリード線で接続されていて遊技内容に関連する数字や図柄を可視表示する。表示色は一色でも多色でもよい。
【００１１】
なお、遊技板ユニット１の裏面には前記入賞球集合カバー２１が被せられていて入賞球の通路２２が設けられているから、遊技用表示パネル２が遊技板ユニット１の裏面に出っ張ると通路２２の障害となる。従って、遊技用表示パネル２はバックライトが不要な反射型か或いはエッジライト方式の液晶にする方が薄型化できて都合がよい。しかし、バックライトのない液晶などではカラー表示が難しいなど機能上の制約が多いため、バックライト付きの液晶を採用したい場合がある。そのような場合には、図２のように遊技用表示パネル２の後面上縁にテーパ部２ａを設けて入賞球が遊技用表示パネル２を乗り越えて流れるようにしておけばよい。もちろん入賞球集合カバー２１も遊技用表示パネル２に合わせた形状にして入賞球の通路２２を確保する必要がある。もっとも、遊技用表示パネル２の表示サイズが従来の変動表示装置３と同程度の小さなものであるなら入賞球集合カバー２１の両サイドに入賞球の通路２２が確保できるだけのスペースが十分あるため出っ張りの大きさを問題にすることはない。
【００１２】
而して、遊技板ユニット１の正面には従来の遊技板と同様にガイドレール１５でほぼ円形の遊技領域１ａが形成されていて、該遊技領域１ａ内に入賞口４や多数の障害釘５，５…或いは風車６，６…などが取り付けられている。入賞口４の取付位置にはパチンコ球を導くための通孔１６が透明樹脂層１３と発泡樹脂層１２を貫くように形成されている。該通孔１６は透明樹脂層１３と発泡樹脂層１２を結合させた状態で穿設するか、或いは、両者を結合する前に夫々に加工して後に合致させるようにしてもよい。後者の場合、発泡樹脂層１２は、金型成型時に通孔１６を加工することができる。なお、遊技板ユニット１のアウト球口１７や賞球排出口１８も同様である。
【００１３】
図３に示したパチンコ機Ｐは、遊技用表示パネル２の前面にある透明樹脂層１３に障害釘５，５…と風車６，６…が打ち込んであり、遊技用表示パネル２の前面が全てパチンコ球の流路Ｒになっている。なお、図３では全ての入賞口４を遊技用表示パネル２の外周囲に設けてあるが、後述する図４のように遊技用表示パネル２に前記通孔１６を設けてそこに入賞口４を設置することもできる。そしてそのようにすれば遊技用表示パネル２で遊技領域１ａの全てをカバーすることができ、壮大なスケールで遊技が可能になる。例えば、馬のキャラクターを使って競争させる競馬ゲームのような場合、遊技領域１ａのガイドレール１５沿いに馬のキャラクターを移動させれば、従来の遊技より遥かに迫力が増す。また、複数の数字や図形を組み合わせるスロットマシーンタイプのゲームでも遊技領域１ａの全面を使用すれば表示が大きくなって見易くしかも迫力が出る。
【００１４】
以上、本発明を実施例について説明したが、もちろん本発明は上記実施例に限定されるものではない。例えば、実施例では遊技用表示パネル２として液晶を例示したが、それ以外にもＬＥＤ、通常のブラウン管、プラズマディスプレイなど、数字や図柄を平面上で視覚的に変化させる機能があればどのようなものでもよい。
また、実施例は透明樹脂層１３と発泡樹脂層１２を同形状にして両者を接合するようにしたが、例えば図４に示したように発泡樹脂層１２を遊技板ユニット１の厚みに形成し、該発泡樹脂層１２の前面に凹部１９を設けてそこに透明樹脂層１３を嵌め込むようにしてもよい。
【００１５】
ところで、本発明と同じ目的を達成するための技術的手段として変動表示装置３００自体を図５のようにしてもよい。すなわち、障害釘５の打ち込みが可能な性質と厚みを有する透明樹脂板１３０で表示用窓部３０１を覆うようにしてなることを特徴とするパチンコ機の変動表示装置、とする。前記透明樹脂板１３０は上記の透明樹脂層１３と同じ材質の合成樹脂である。また、表示用窓部３０１とは、変動表示装置３００の遊技用表示パネル２００の前面に対応する空間である。その他図５中、符号３０２は変動表示装置３００の取付基板、３０３は該取付基板３０２の裏側に突設した裏カバーである。
【００１６】
而して、上記のように変動表示装置３００の表示用窓部３０１を前記透明樹脂板１３０で覆うようにすれば、該表示用窓部３０１に障害釘５，５…を打ち込んだり風車６，６…を設けることができるため、本発明と同様に数字や図柄の表示サイズを大型化することができ、また、表示サイズを大型化しない場合でもパチンコ球の流路に従来にない変化を持たせることが可能になる効果がある。そしてさらに、この変動表示装置３００はベニヤ製の遊技板ユニット１００にも適用できる有用性がある。
【図面の簡単な説明】
【００１７】
【図１】パチンコ機の横断平面図である。
【図２】遊技板ユニットを裏側から見た斜視図である。
【図３】パチンコ機の正面図である。
【図４】他の実施例を示す遊技板ユニットの斜視図である。
【図５】変動表示装置を示す要部の横断平面図である。
【図６】従来技術を示すパチンコ機の正面図である。
【符号の説明】
【００１８】
１    …遊技板ユニット
１ａ  …遊技領域
２    …遊技用表示パネル
４    …入賞口
５，５…障害釘
７    …前枠
８    …外枠
１２ａ…窓穴
１５  …ガイドレール
Ｐ    …パチンコ機